(57)【要約】【課題】  回転リールと駆動装置の駆動軸とを確実に固定できると同時に、回転リールを駆動装置から容易に取り外すことができ、かつ容易に取り付けることができるリール装置を提供すること。【解決手段】  前記駆動軸71及び前記軸着部23に、回転リール20の駆動軸に対する回転方向の移動を規制可能な回転固定手段と、軸方向の移動を規制可能な軸固定手段とを設け、前記回転リール20を前記駆動軸71から着脱自在に形成した。    【選択図】    図１３
2005130873.tif 000002
【特許請求の範囲】
【請求項１】
支持体に固定される駆動装置と、
前記駆動装置の駆動軸と嵌合可能な軸孔を有する軸着部と、この軸着部に連結部を介して連結され、前記軸着部を中心に回転する円筒状のドラムとを有する回転リールと、
を少なくとも備えるリール装置であって、
前記駆動軸及び前記軸着部に、回転リールの駆動軸に対する回転方向の移動を規制可能な回転固定手段と、軸方向の移動を規制可能な軸固定手段とを設け、
前記回転リールを前記駆動軸から着脱自在に形成したことを特徴とするリール装置。
【請求項２】
前記軸着部の反駆動装置側に、回転リール着脱時に前記軸着部から突出又は起立可能に形成されたつまみ部材を設け、
このつまみ部材は、回転リールの駆動軸に対する回転方向又は軸方向のいずれかもしくは双方向の移動を規制可能に形成されていることを特徴とする請求項１記載のリール装置。
【請求項３】
複数のリール支持板を取り付け可能なユニット枠と、
各リール支持板に固定される駆動装置と、
各駆動装置に軸着される回転リールとを少なくとも有するリールユニットにおいて、  少なくとも一のリール支持板を、前記ユニット枠の前方下端部に軸支部を介して前後方向に回動可能に取り付け、
前記ユニット枠又はリール支持板のいずれかもしくは双方に、リール支持板の回動を補助するためのガイド手段を設け、
前記ユニット枠又はリール支持板のいずれかもしくは双方に、リール支持板をユニット枠に固定するための固定手段を設けるとともに、
各駆動装置及び各回転リールの軸着部に、回転リールの駆動軸に対する回転方向の移動を規制可能な回転固定手段と、軸方向の移動を規制可能な軸固定手段とを設け、
前記各回転リールを前記各駆動装置から着脱自在に形成したことを特徴とするリールユニット。
【発明の詳細な説明】
【技術分野】
【０００１】
この発明は、遊技機に用いられるリール装置、さらに詳しくは、回転リールを駆動装置の駆動軸から着脱自在に形成したリール装置に関するものであり、またそのリール装置を用いたリールユニットに関する。
【背景技術】
【０００２】
従来の遊技機、例えばスロットマシンに用いられているリールユニットは、複数のリール支持板を縦に並列固定したユニット枠と、各支持板に固定されるパルスモータ等の駆動装置と、各駆動装置に軸着されたリールドラムにリールテープを貼り付けてなる回転リールとを有し、前記ユニット枠を遊技機の筐体内部に固定してあった。そして、各駆動装置を駆動させることにより、リールテープに表示された図柄が筐体の正面側に設けられた図柄表示窓から縦方向に変動表示されるよう形成されていた。
ここで、各回転リールに表示される図柄は、遊技内容と密接に関わるものであり、遊技内容が変更されれば図柄のデザインやその配列も変更される。一般に、スロットマシンなどにおいては、遊技内容が変更されるまでの期間は２〜６か月と、モータなどの耐用年数よりも遙かに短いので、いわゆる「面替え」で撤去された遊技機のリールユニットは、再生工場にてリールテープのみ貼り替えて再利用される事が多い。このようにリールテープの貼り替えを行う場合には、ユニット枠からリール支持板を取り外し、駆動装置に固定された回転リールを取り外さなければならなかった。また、遊技場において、リールユニットの保守点検をしようとする場合にも、上記のような作業を行う必要があるが、ユニット枠を筐体内に固定したまま任意の回転リールのみを取り外すことは困難で、かかる作業は専門の業者に頼まざるを得なかった。
【０００３】
これらの問題点に鑑み、駆動装置及び回転リールが組み付いたリール支持板を、ユニット枠に着脱自在に取り付け可能としたリールユニットが考案されている。例えば、特許文献１に記載の発明は、リール支持板（リール保持板(51)）をユニット枠（リールボックス(40)）に回動可能に係合し、かつ着脱自在としたものであり、ユニット枠を筐体内に固定したままでも、各回転リールを個別に取り外せるようにしてある。
一方、「面替え」時の遊技機交換作業の軽減と費用の削減、資源の有効利用の観点から、遊技内容変更に最低限必要な構成部品のみ交換可能に形成した分離型スロットマシンが考案されている（特許文献２参照）。この分離型スロットマシンは、リールユニット及び主基板を交換ユニットとして一体的に筐体から着脱自在に形成してあるが、交換部分に占めるリールユニットの容量、重量が大きいにもかかわらず、リールユニットで実質的に交換が必要なのはリールテープのみであり、改善が求められている。
【特許文献１】特開２００２−０５８７８３号公報（図４）
【特許文献２】特開２００３−１６９８７９号公報
【発明の開示】
【発明が解決しようとする課題】
【０００４】
しかし、上記した従来の着脱式リールユニットでは、回転リールを取り外そうとする場合には、リール保持板ごとユニット枠から取り外さなければならない。また、リールテープを貼り替える場合には、リール保持板に回転リールが組み付いた状態で貼り替え作業を行うのは作業効率が悪く、リール保持板に固定されている駆動装置から回転リールを取り外すには、回転リールと駆動装置の駆動軸を固定しているネジ等を外さなければならない。
また、分離型スロットマシンにおいて、最も交換部品を少なくするには、リールユニットを筐体に固定したままリールテープのみ遊技場で交換可能に形成することが考えられるが、リールテープの貼り付けは図柄とインデックスを合わせるなどの細かい作業が必要となるので、現場で交換するのは適当でない。そのため、回転リールのみを遊技場で交換可能にするのが望ましい。
【０００５】
そこで、各請求項記載の発明は、かかる事情に鑑みてなされたものであり、その目的とするところは、次の点にある。
（請求項１）
すなわち、請求項１記載の発明は、回転リールと駆動装置の駆動軸とを確実に固定できると同時に、回転リールを駆動装置から容易に取り外すことができ、かつ容易に取り付けることができるリール装置を提供することを目的とする。
（請求項２）
請求項２記載の発明は、上記した請求項１記載の発明の目的に加え、次の点を目的とする。
【０００６】
すなわち、請求項２記載の発明は、回転リールの着脱がより容易であると同時に部品点数も極力少なくしたリール装置を提供することを目的とする。
（請求項３）
請求項３記載の発明は、次の点を目的とする。
すなわち、請求項３記載の発明は、請求項１記載のリール装置を用いて、より容易に回転リールの着脱を行うことができるリールユニットを提供することを目的とする。
【課題を解決するための手段】
【０００７】
各請求項にそれぞれ記載された各発明は、上記した各目的を達成するためになされたものであり、各発明の特徴点を図面に示した発明の実施の形態を用いて、以下に説明する。
なお、括弧内の符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、支持体に固定される駆動装置(70)と、駆動装置(70)の駆動軸(71)と嵌合可能な軸孔(25)を有する軸着部(23)と、この軸着部(23)に連結部（例えばスポーク(28)）を介して連結され、前記軸着部(23)を中心に回転する円筒状のドラム(22)とを有する回転リール(20)と、を少なくとも備えるリール装置に係る。
【０００８】
ここで、「リール装置」とは、前記回転リール(20)を、この回転リール(20)を回転させるためのステッピングモータなどの駆動装置(70)に取り付けたものを指す。また、前記「支持体」は、「リール装置」を所定の位置に設置するためのものであり、駆動装置(70)を固定可能なリール支持板(51,52)や、複数のリール支持板(51,52)を取り付け可能な枠体を含む。そして、スロットマシンなどの遊技機においては、複数の「リール装置」がそれぞれリール支持板(51,52)を介して枠体（ユニット枠(50)）に取り付けられ、リールユニット(20)を構成するものである。
前記軸着部(23)には、駆動装置(70)の駆動軸(71)を嵌合可能な軸孔(25)が設けてあり、軸孔(25)と駆動軸(71)との係合により、回転リール(20)を駆動装置(70)に取り付けられるようになっている。なお、軸孔(25)は、駆動軸(71)の全部又は一部を貫通可能であってもよいし、駆動軸(71)が貫通はしないが挿入可能となっているものでもよい。
【０００９】
前記回転リール(20)の円筒状のドラム(22)には、複数の図柄を印刷等により表示したリールテープ(21)を貼付して、遊技機の図柄表示手段として使用される。またドラム(22)の内側には、リールテープ(21)の図柄を照明するためのバックライトが設置されていてもよい。
そして本発明は、前記駆動軸(71)及び前記軸着部(23)に、回転リール(20)の駆動軸(71)に対する回転方向の移動を規制可能な回転固定手段と、軸方向の移動を規制可能な軸固定手段とを設け、前記回転リール(20)を前記駆動軸(71)から着脱自在に形成したことを特徴とする。
【００１０】
ここで、前記「回転固定手段」は、駆動軸(71)の回転を回転リール(20)に確実に伝達するためのものであり、具体的には、例えば、駆動軸(71)の先端に設けた張り出しピン(72)と、軸着部(23)に設けた前記張り出しピン(72)が貫通可能かつ張り出しピン(72)を係止可能な溝（十字溝(26)）とすることができる。なお、「回転固定手段」は、回転リール(20)の駆動軸(71)に対する軸方向の移動をも規制可能に形成されていてもよい。
また、前記「軸固定手段」は、駆動軸(71)の軸方向の所定位置に回転リール(20)を固定するためのものであり、具体的には、例えば、駆動軸(71)の先端に設けたフランジ(73)と、軸着部(23)の軸孔(25)に設けた段部(27)とすることができる。なお、「軸固定手段」は、回転リール(20)の駆動軸(71)に対する回転方向の移動をも規制可能に形成されていてもよい。
【００１１】
そして、前記「回転固定手段」及び「軸固定手段」は、駆動軸(71)と軸着部(23)とを固定可能であるとともに、駆動軸(71)から回転リール(20)を着脱自在とすることができる構成となっている。ここで、「着脱自在」とは、ただ単に取り付け取り外しができるというものではなくて、ドライバを用いてネジを外すといった作業を行うことなく、好ましくはワンタッチで、回転リール(20)を駆動軸(71)から取り外すことができ、また取り付けることもできることを意味する。具体的には、例えば、軸着部(23)の軸孔(25)の周囲に、反駆動装置側面では十文字が、軸着部(23)の駆動装置側面では一文字が表れる十字溝(26)を設け、駆動軸(71)の先端に設けた張り出しピン(72)を、駆動装置側から反駆動装置側に貫通する貫通溝(26a)に貫通させ、回転リール(20)を９０度回転させて、張り出しピン(72)を係止溝(26b)に係止可能としたものとすることができる。このとき、係止溝(26b)は、「回転固定手段」および回転リール(20)の反駆動装置側への移動を規制する「軸固定手段」として機能する。なお、この場合には、回転リールの(20)駆動装置側への移動を規制するための「軸固定手段」も設けるのが好ましい。例えば、張り出しピン(72)が嵌入された係止溝(26b)を反駆動装置側から塞ぐ蓋などを設けると、係止溝(26b)から張り出しピン(72)が飛び出してしまい回転リール(20)が回転中に駆動装置側にずれてしまうことがない。
【００１２】
（請求項２）
（特徴点）
請求項２記載の発明は、上記した請求項１記載の発明の特徴点に加え、次の点を特徴とする。
すなわち、請求項２記載の発明は、前記軸着部(23)の反駆動装置側に、回転リール着脱時に前記軸着部(23)から突出又は起立可能に形成されたつまみ部材を設け、このつまみ部材は、回転リール(20)と駆動軸(71)の固定時において、回転リール(20)の駆動軸(71)に対する回転方向又は軸方向のいずれかもしくは双方向の移動を規制可能に形成されていることを特徴とする。
【００１３】
本発明は、回転リール(20)を駆動軸(71)から引き抜くとき又は回転リール(20)を駆動軸(71)に取り付けるときの手掛かりとなる「つまみ部材」に、「軸固定手段」又は「回転固定手段」としての機能をもたせたものである。
ここで、「つまみ部材」は、回転リール(20)の着脱時に前記軸着部(23)から突出又は起立可能に形成されている。すなわち、回転リール(20)が駆動軸(71)に固定されているときには、「つまみ部材」は軸着部(23)の内部や表面近くにあり、回転リール(20)を駆動軸(71)から取り外すとき又は駆動軸(71)に取り付けるときには、軸着部(23)から外側に突出させて指などで摘んで回転リール(20)を回転させたり軸方向の移動をさせたりできるようになっているものである。具体的には、例えば、円柱状の軸着部(23)の反駆動装置側の平面部にヒンジなどを介して回動自在に取り付けられた脱着用レバー(24)や、円柱状の軸着部(23)の反駆動装置側の円柱面に形成された貫通孔に貫通可能な係止ピン(75)などを含む。ただ、「つまみ部材」は、作業中の紛失や落下防止の観点より、軸着部(23)から分離しないように取り付けられているのが望ましい。また、回転リール(20)の回転に支障をきたさないよう、回転中心付近に設けたり、重心が偏らない構成とするのが望ましい。
【００１４】
そして、この「つまみ部材」は、回転リール(20)と駆動軸(71)の固定時には、軸着部(23)と駆動軸(71)との係合が外れないように係止することができるようになっている。すなわち「つまみ部材」は、「つまみ」としての機能だけでなく、「軸固定手段」としての機能、あるいは「回転固定手段」としての機能、もしくは「回転固定手段」及び「軸固定手段」の双方の機能を有するものでもある。具体的には、例えば、軸着部(23)の反駆動装置側で係止されている駆動軸(71)の張り出しピン(72)が、係止溝(26b)から抜け出ててしまわないように反駆動装置側から閉塞可能な蓋状の部材や、軸孔(25)から反駆動装置側に貫通して突出した駆動軸(71)の先端を引っ掛けて固定することができるリング状の部材とすることができる。
【００１５】
（作用）
本発明によれば、回転リール(20)を駆動軸(71)から取り外すときには「つまみ部材」を突起させれば、軸着部(23)と駆動軸(71)との係合が解除可能となり、同時に突起させた「つまみ部材」を手掛かりに回転リール(20)を移動させることができる。また、回転リール(20)を駆動軸(71)に取り付ける場合には、突起させた「つまみ部材」を持って軸着部(23)を駆動軸(71)と係合させ、その後「つまみ部材」を押入又は押し倒すだけで、回転リール(20)を駆動軸(71)に固定することができる。
（請求項３）
（特徴点）
請求項３記載の発明は、次の点を特徴とする。
【００１６】
すなわち、請求項３記載の発明は、複数のリール支持板(51,52)を取り付け可能なユニット枠(50)と、各リール支持板(51,52)に固定される駆動装置(70)と、各駆動装置(70)に軸着される回転リール(20)とを少なくとも有するリールユニット(2)に係る。
そして本発明は、少なくとも一のリール支持板(52)を、前記ユニット枠(50)の前方下端部に軸支部を介して前後方向に回動可能に取り付け、前記ユニット枠(50)又はリール支持板(52)のいずれかもしくは双方に、リール支持板(52)の回動を補助するためのガイド手段を設け、前記ユニット枠(50)又はリール支持板(52)のいずれかもしくは双方に、リール支持板(52)をユニット枠(50)に固定するための固定手段を設けてある。
【００１７】
さらに、本発明は、各駆動装置(70)及び各回転リール(20)の軸着部(23)に、回転リール(20)の駆動軸(71)に対する回転方向の移動を規制可能な回転固定手段と、軸方向の移動を規制可能な軸固定手段とを設け、前記各回転リール(20)を前記各駆動装置(70)から着脱自在に形成したことを特徴とする。
本発明は、請求項１記載のリール装置を用いたリールユニット(2)である。
前記リール支持板(51,52)は、回転リール(20)を回転させるための駆動装置(70)を固定するとともに回転リール(20)を並列配置させるためのものであり、ユニット枠(50)は複数のリール支持板(51,52)を支持固定して一体的に取り扱うためのものである。回転リール(20)は、軸着部(23)を中心に回転する円筒状のドラム(22)を有し、このドラム(22)に図柄を表示したリールテープ(21)が貼付されるものである。
【００１８】
また、ユニット枠(50)の前方下端部に設けられた「軸支部」は、例えばヒンジ(55)とすることができ、前記少なくとも一のリール支持板(52)は、このヒンジ(55)に回動自在に固定されていても良いし、着脱自在に取り付けられていてもよい。前記リール支持板(52)は、「軸支部」を中心に手前側に回動させるとユニット枠(50)から露出するようになっていて、使用時（リールユニット作動時）には、ユニット枠(50)内に収納されている。
前記「ガイド手段」は、リール支持板(52)が「軸支部」を中心に回動するとき、左右にぶれたりすることのないようその動きを補助するためのものであり、例えばユニット枠(50)に設けたガイドレールと、このガイドレールに係合可能なリール支持板(52)に設けた係合部とすることができる。「ガイド手段」は、ユニット枠(50)のみに設けてもよいし、リール支持板(52)のみに設けてもよい。
【００１９】
そして、前記「固定手段」は、リール支持板(52)がユニット枠(50)内に収納されている状態で、リール支持板(52)の反軸支部側を固定するためのものであり、例えばユニット枠(50)に設けた係合突起(56)とリール支持板(52)に設けた係合爪(54)とすることができる。この「固定手段」と、前記「ガイド手段」の双方により、リール支持板(52)をユニット枠(50)に確実に固定し、駆動装置(70)の振動などで騒音が発生しないようになっている。
（作用）
本発明に係るリールユニット(2)から回転リール(20)を取り外す場合には、リール支持板(52)とユニット枠(50)とを固定している「固定手段」を解除し、リール支持板(52)を手前側に引き出す。すると、リール支持板(52)は「軸支部」を中心に回動し、リール支持板(52)に固定された駆動装置(70)及び回転リール(20)がユニット枠(50)から露出する。このとき、「ガイド手段」によりリール支持板(52)の横方向の動きが規制され、スムースにリール支持板(52)を手前側に引き出すことができる。それから、「軸固定手段」及び「回転固定手段」を解除して、駆動軸(71)から回転リール(20)を取り外す。
【００２０】
なお、本発明においては、全てのリール支持板をユニット枠(50)に回動自在に取り付け、一つ一つの回転リール(20)をユニット枠(50)の手前側に移動させて取り外すようにすることもできるが、複数のリール支持板のうちの少なくとも一つを回動自在としてもよい。例えば、図１２又は図１６に示すように、三個の回転リール(20)を有するリールユニット(2)の場合、中央の回転リール(20)を支持するためのリール支持板のみを回動自在とすれば、中央のリール支持板(52)を手前側に引き出したときにできる空間を利用して、左右の回転リール(20)の着脱を行うことも可能である。
なお、本発明は、前記軸着部(23)の反駆動装置側に、回転リール着脱時に前記軸着部(23)から突出又は起立可能に形成されたつまみ部材を設け、このつまみ部材は、回転リール(20)と駆動軸(71)の固定時において、回転リール(20)の駆動軸(71)に対する回転方向又は軸方向のいずれかもしくは双方向の移動を規制可能に形成することができる。このように形成することにより、回転リール(20)を駆動軸(71)から取り外すときには「つまみ部材」を突起させれば、軸着部(23)と駆動軸(71)との係合が解除可能となり、同時に突起させた「つまみ部材」を手掛かりに回転リール(20)を移動させることができる。また、回転リール(20)を駆動軸(71)に取り付ける場合には、突起させた「つまみ部材」を持って軸着部(23)を駆動軸(71)と係合させ、その後「つまみ部材」を押入又は押し倒すだけで、回転リール(20)を駆動軸(71)に固定することができる。
【発明の効果】
【００２１】
本発明は、以上のように構成されているので、以下に記載されるような効果を奏する。
（請求項１）
請求項１記載の発明によれば、次のような効果を奏する。
すなわち、請求項１記載の発明によれば、回転リールと駆動装置の駆動軸とを確実に固定できると同時に、回転リールを駆動装置から容易に取り外すことができ、かつ容易に取り付けることができるリール装置を提供することができる。
（請求項２）
請求項２記載の発明によれば、上記した請求項１記載の発明の効果に加え、次のような効果を奏する。
【００２２】
すなわち、請求項２記載の発明によれば、回転リールの着脱がより容易であると同時に部品点数も極力少なくしたリール装置を提供することができる。
（請求項３）
請求３記載の発明によれば、次のような効果を奏する。
すなわち、請求項３記載の発明によれば、請求項１記載のリール装置を用いて、より容易に回転リールの着脱を行うことができるリールユニットを提供することができる。
【発明を実施するための最良の形態】
【００２３】
本発明を実施するための最良の形態を、遊技機としてスロットマシンを例に、第一の実施の形態及び第二の実施の形態に分けて、図面に基づき説明する。
（第一の実施の形態）
（図面の説明）
図１乃至図１４は、本発明の第一の実施の形態を示すものである。
図１及び図２はスロットマシンＳの分解斜視図、図３及び図４はリールユニット２の斜視図、図５はリールユニット２の縦断面図、図６は筐体１の縦断面図である。また、図７及び図１１はリールユニット２とリール支持板52との係合部58を示す断面図、図８及び図９はユニット枠50及びリール支持板52を示す分解斜視図である。また、図１０はリールユニット2の他の例を示す図、図１２はリールユニット2の正断面図、図１３及び図１４は回転リール20の軸着部23を示す斜視図である。
【００２４】
本実施の形態におけるスロットマシンＳは、上扉30及び基板ユニット10及び回転リール20を交換可能に形成したものであり、図１に示すように、大きく分けて、正面側に開口部11を有する筐体１、筐体１内部に固定されるリールユニット２、筐体１内部に着脱自在に取り付けられる基板ユニット10、筐体１の開口部11を開閉可能に塞ぐ前扉３とから構成されている。そして、この前扉３は、筐体１の開口上部13を開閉可能に塞ぐ上扉30、筐体１の開口下部14を開閉可能に塞ぐ下扉40とに分割されている。
（筐体１）
筐体１は、底板15及び側板16及び天板17及び裏板18からなる正面側に開口する箱であり、高さ方向略中央部には、二つの側板16の間に水平方向に中板12が設けられている。そして、この中板12の下面には電源ユニット４が設けられ、底板15にはホッパーユニット５が設置されている。
【００２５】
前記電源ユニット４は、中板12の下面に、取り付け板等を介して取り付けられており、特に図示しないが電源装置が内装されていると共に、正面側には遊技店が種々の設定を行うためのスイッチ等を有している。
上記電源ユニット４及びホッパーユニット５は、遊技機交換に際し、必ずしも交換する必要のないものであり、いわゆる面替え時には設置されたままにしておけるようになっているものである。
なお、本実施の形態においては、メダルを貯留すると共にメダルを払い出す払い出し装置としてホッパーユニット５を有するスロットマシンとしたが、遊技メダルを払い出すことのできる装置であれば、ホッパーユニット５以外の装置が代わりに設けられていてもよい。
【００２６】
また、側板16の正面左側には、前扉３(上扉30及び下扉40)を係合させ、回転自在に支持するための筐体係合部19が、上下方向に間隔をおいて二つずつ設けられている。
裏板18には、基板ユニット10を筐体内に設置するための基板取り付け枠60と、筐体１の開口下部14と開口上部13とに設置されている内部装置を電気的に接続するためのハーネスが収納されたハーネスカバー80が配置されている。
（リールユニット２）
リールユニット２は、図３及び図４に示すように、ユニット枠50と、三個の駆動装置70にそれぞれ軸着された三個の回転リール20からなり、回転リール20及び駆動装置70をユニット枠50に固定設置するためのリール支持板51,52を有している。そして、中央に設置されるリール支持板52は、ヒンジ55を中心に手前側に回動自在に形成されていると共に、各回転リール20は、各駆動装置70から着脱自在となっている。
【００２７】
（ユニット枠50）
ユニット枠50は、図３に示すように、正面及び側面が開口する断面略コ字状の薄板部材より成る枠体であり、上板50Aと底板50Bの間に、二枚のリール支持板51が縦方向に固定されている。このリール支持板51は、板面略中央部に駆動装置70が取り付けられており、一のリール支持板51は駆動装置70を左側に配置し、ユニット枠50の左側開口部を塞ぐように固定されている。他の一のリール支持板51は駆動装置70を左側に配置し、ユニット枠50の右側開口部よりほぼ三分の一程度内側に位置するよう固定されている。
また、二枚のリール支持板51の中間部分には、上板50Aから垂下するガイド部53が形成されており、ガイド部53に対応する底板50Bには、軸支部としてのヒンジ55が取り付けられている。ここで、ガイド部53は、図５及び図８に示すように、ユニット枠50の上板50Aの正面側から背板50Cにわたって前後方向に設けられた垂下片であり、その下端部には、ヒンジ55を中心とする円弧状のガイド溝53aが形成されている。ガイド溝53aの断面形状は、図５におけるI−I線断面を表す図７(Ａ)に示したようになっている。
【００２８】
そして、前記ヒンジ55には、上端が前記ガイド溝53aの円弧と一致する形状で、上端部に前記ガイド溝53aと係合可能な係合片52aを有するリール支持板52が取り付けられている。リール支持板52は、ヒンジ55の部分でユニット枠50から着脱自在であってもよいし、ヒンジ55を介してユニット枠50に固定されていてもよい。前記リール支持板52は、ヒンジ55を支点として、前後方向に回動させることができるものであり、この際、ガイド溝53aと係合片52aが密着状態で係合し、前後方向の動きをガイドすると共に、左右のぶれを防止するようになっている。ここで、前記ガイド部53及び係合片52aは、図７（Ｂ）に示すように形成してもよい。すなわち、リール支持板52の上縁部52bが、二枚の垂下片の間に形成されたガイド溝53aと係合するようにしたものである（図９参照）。なお、ガイド部53及びリール支持板52の形態は、上記のものに限られず、リール支持板52をヒンジ55を支点として回動させたときに、リール支持板52がユニット枠50の上板50Aと干渉せず、かつ回動をガイドしてリール支持板52の横方向の移動を規制可能に形成されていれば、如何なる形態又は形状であっても構わない。
【００２９】
また、上板50Aの上面及びリール支持板52の正面側上端部には、リール支持板52とユニット枠50を固定するための係合部57が設けられている。係合部57は、上板50Aのガイド部53の上方外面に突設された係合突起56と、リール支持板52がユニット枠50の内部に設置された状態で、前記係合突起56に係合可能な鉤型の係合爪54からなる（図５参照）。係合爪54は弾力性を有し、爪部を上方に引き上げれば係合突起56から外すことができ、手前側に倒されたリール支持板52をユニット枠50に押し戻せば自動的に係合突起56に係止する。係合爪54が係合突起56と係合している場合には、リール支持板52は手前側に回動しない。なお、係合部57としては、上記のものに限られず、ユニット枠50とリール支持板52とを固定し、ユニット枠50内部に設置したリール支持板52が手前側に倒れるのを防止できるものであれば、如何なる形態又は形状であっても構わない。
【００３０】
（駆動装置70）
駆動装置70は、リール支持板51,52に取り付けられたステッピングモータであり、モータ本体から駆動軸71が突出している。そして、この駆動軸71の先端部には、回転リール20を着脱自在に保持するためのリール係止手段７が設けられているが、これについては後述する。
（回転リール20）
回転リール20は、ドラム22にリールテープ21を貼付した円筒形の回転体であり、駆動装置70の駆動軸71に軸着され、図４に示すように、円筒面を正面側にして、ユニット枠50に縦に三個並列して設置されるものである。
【００３１】
リールテープ21は、プラスチックフィルムに複数の図柄（図示せず）を印刷等した帯状のテープであり、図柄が表面に表れるようドラム22に巻き付けて固定される。ドラム22は、図３及び図１２に示すように、薄肉円柱状の軸着部23から放射状に張り出したスポークで円筒状の枠体を支持する構成となっており、軸着部23には、駆動軸71を挿通可能な軸孔25と、駆動軸71に回転リール20を着脱自在に保持させるためのリール係止手段７が設けられている。
（リール係止手段７）
リール係止手段７は、駆動軸71に回転リール20を固定すると共に、駆動軸71から回転リール20をワンタッチで取り外し可能とするためのものであり、具体的には、図１３に示すように、駆動軸71に設けられた張り出しピン72と、回転リール20の軸着部23に設けられた十字溝26及び脱着用レバー24からなる。
【００３２】
張り出しピン72は、駆動軸71の先端部に軸直方向に設けられたピン孔に嵌入させた円柱又は角柱状のピンである。十字溝26は、図１３（Ａ）に示すように、軸着部23の中央に設けられた軸孔25の周囲に形成されており、軸孔25に沿って軸着部23を貫通する貫通溝26aと、貫通溝26aと直交し軸着部23の片側のみに開口する係止溝26bからなる。従って、軸着部23の外側面（回転リール20を駆動軸71に取り付けたとき反駆動装置側となる面）では十文字が、軸着部23の内側面では一文字が表れるようになっている。そして、貫通溝26aは、駆動軸71を軸孔25に挿入する際、前記張り出しピン72を挿通可能な寸法に形成されており、さらに係止溝26bは、張り出しピン72を収納可能な寸法に形成されている。すなわち、駆動軸71及び張り出しピン72を軸孔25及び貫通溝26aから軸着部23の外側面に貫通させ、回転リール20を９０度回転させてから係止溝26bに張り出しピン72を嵌め込むと、軸孔25から駆動軸71が抜けなくなるとともに、駆動軸71の回転が回転リールに20に伝達されるものである。このように、張り出しピン72と係止溝26bは、回転リール20と駆動軸71の回転方向の固定をするための回転固定手段としての機能を有している。
【００３３】
脱着用レバー24は、図１３(Ａ)に示すように、軸着部23の外側面にヒンジを介して回動自在に取り付けられた馬蹄形の板部材であり、特に図示しないがヒンジ部分に設けられたバネ（例えばコイルバネ）により、軸孔25及び十字溝26を閉じる方向（白矢印方向）に付勢されている。また、脱着用レバー24は、図１３(Ｂ)に示すように、閉じられた状態で十字溝26を外側から覆い隠すように形成されており、係止溝26bに収納された張り出しピン72が外側に突出する（回転リール20と駆動軸71との係合が外れる）のを防ぐ役割も果たしている。そして、ヒンジのバネ力に抗して軸孔25及び十字溝26を開く方向に起こし（図１３(Ａ))、これを手掛かりとして回転リール20を駆動軸71から取り外すことができるものである。このように、脱着用レバー24は、回転リール20を着脱するためのつまみとしての機能と、回転リール20と駆動軸71の軸方向の固定を補助する軸固定手段としての機能の双方を有している。
【００３４】
なお、前記脱着用レバー24を、図１８（Ａ）に示すような、蓋状の部材としてもよい。そして、ヒンジの対向側に、弾力性を有する凸部と凹部からなる係止手段を設け、蓋の開け閉めができるようにすればよい。
ところで、リール係止手段７としては、上記形態に限られない。例えば図１４に示すような構成とすることもできる。すなわち、図１４（Ａ）に示すように、駆動軸71の先端部には、つば状のフランジ73と、フランジ73よりも先端側の軸周にわたって溝74を設け、軸着部23の軸孔25には、軸着部23の外側面寄りに軸孔25よりも大きい内径を形成する段部27を設け、さらに、脱着用レバー24には駆動軸71を貫通可能な開口部を設ける。そして、この段部27にフランジ73を係止させて駆動軸71が軸孔25から抜け出て回転リール20が駆動装置70側に移動してしまうのを防ぐと共に、脱着用レバー24を倒して駆動軸71の溝74に引っ掛ける（図１４(Ｂ)参照）ことにより、軸着部23と駆動軸71との係合が外れないようにしたものである。この場合、脱着用レバー24を弾力性のある部材で形成し、溝74に引っ掛けたとき駆動軸71の軸直方向に適度な引張力を与えるようにすると、軸着部23と駆動軸71をより効果的に係止することができる。このように形成した場合には、フランジ73と段部27は軸固定手段として機能し、脱着用レバー24と溝74は回転固定手段として機能するものとなる。
【００３５】
さらに、リール係止手段７は、図１８（Ｂ）に示すような構成とすることもできる。すなわち、軸着部23の側面に形成したピン孔29と駆動軸71の先端部に形成したピン孔76に、係止ピン75を貫通させて、軸着部23と駆動軸71とを固定するものである。また、係止ピン75の端部には、軸着部23の反駆動装置側に折れ曲がる押さえ部75aを形成してあり、ピン止め時にはこの押さえ部75aのバネ力で軸着部23を挟み込んで抜けないようになっている。そして、回転リール20を駆動軸71から取り外す場合には、押さえ部75aを持って係止ピン75をピン孔76から引き抜いて軸着部23と駆動軸71との係合を解除し、軸着部23を掴んで駆動軸71から引き抜けばよい。
【００３６】
ちなみに、ピン孔29とピン孔76の位置合わせをするため及び軸着部23と駆動軸71の回転方向の移動を規制するため、軸着部23及び駆動軸71には切欠孔及び切欠軸が形成されている。また、軸着部23と駆動軸71の軸方向の移動を規制するため、軸着部23及び駆動軸71には段部が形成されている。なお、この場合、軸孔25は駆動装置側にのみ開口して（すなわち反駆動装置側は閉塞されて）形成されていてもかまわない。
（回転リール20の脱着）
以上のように形成されたリールユニット２において、回転リール20を取り外す場合について説明する。
【００３７】
図４に示すように、ユニット枠50の右側は開口しているので、右側の回転リール20を取り外す場合には、この開口から取り外すことができる。図１３に示すリール係止手段７の場合には、まず脱着用レバー24を起こし、回転リール20を適宜駆動装置70側に移動させて、係止溝26bから張り出しピン72を外側に突出させた後９０度回転させると、張り出しピン72が貫通溝26aに挿入可能となる。そして、脱着用レバー24をつまんだまま回転リール20を右方向に移動させ、駆動軸71が軸孔25から抜けて軸着部23と駆動軸71との係合が解除されたら、回転リール20を手前側に取り出せばよい（図１２参照）。
中央の回転リール20を取り外す場合には、まず、リール支持板52の係合爪54を上方に持ち上げて係合突起56との係合を解除し、それからリール支持板52の上部を手前側に引っ張って、リール支持板52をヒンジ55を中心に前方に回動させる。このとき、リール支持板52の係合片52aがガイド部53のガイド溝53aに沿って摺動するので、回動中にリール支持板52が左右にぶれることがない。リール支持板52を手前に引き出すことにより、図６に示すように、回転リール20がユニット枠50から外に露出する。そこで、リール支持板52を適当な位置に手で固定させておいて、上述した手順で回転リール20を取り外す。  左側の回転リール20を取り外す場合には、まずリール支持板52を上述した手順で手前に引き出してから、回転リール20を右方向に移動させ、駆動軸71と軸着部23との係合を解除して手前側に取り出せばよい。すなわち、リール支持板52を手前側に引き出すことにより、回転リール20の右側には十分な空間が生じるので、容易に回転リール20を取り外すことができるのである（図１２参照）。
【００３８】
次に、駆動軸71に回転リール20を取り付ける場合には、脱着用レバー24を起こした状態で張り出しピン72を貫通溝26aに合わせて、駆動軸71を軸孔25に挿通させ、張り出しピン72が貫通溝26aより外側に突出したら、回転リール20を９０度回転させる。そして、張り出しピン72を係止溝26bに合わせて、回転リール20を押し戻し、張り出しピン72が係止溝26b内に収納されたら、脱着用レバー24を倒す。脱着用レバー24は倒れる方向に付勢されているとともに、係止溝26bを外側から塞ぐように位置しているので、張り出しピン72が係止溝26bから外側に飛び出すのを防止することができる。
リール支持板52を元の位置に戻す場合には、リール支持板52を上方向に回動させ、係合片52aの後端部をガイド溝53aに係合させて押し込めば、ガイド溝53aがリール支持板52を適正位置にガイドする。そして、係合爪54が係合突起56に当接したら、そのまま奥方向に押圧することにより、係合爪54が弾性変形して係合突起56に係合し、リール支持板52がユニット枠50に固定される。
【００３９】
このように、本実施の形態によるリールユニット２によれば、回転リール20をワンタッチで脱着することができると共に、中央のリール支持板52を回動可能に形成するだけで、どの回転リール20も個別に脱着することができる。すなわち、支持板52を回動可能に形成すると、単に支持板をユニット枠50に固定する場合よりも部品数が余計に必要となるが、中央のリール支持板52のみを回動可能とすることで、必要な部品数を極力少なくすることにより、製造コストの削減を図ることができるものである。また、ガイド部53は、ユニット枠50の正面側から背面側にわたって設けられているので、リール支持板52の回動時にはその移動を適正にガイドし、リール支持板52の収納時には左右の移動を規制することができる。そして、リール支持板52とユニット枠50とは、係合部57により前後方向の移動も規制されているので、駆動装置70の駆動に伴う振動で位置ずれが生じたり騒音を発したりすることがない。さらに、各回転リール20に設けられた脱着用レバー24は、回転リール20の取り付け取り外し時には「つまみ」として機能し、固定時には駆動軸71と軸着部23との係合が外れないように係止する役割も果たすので、部品数の節約に貢献するものである。
【００４０】
なお、図９に示すように、全てのリール支持板52を回動可能に形成してもよい。このようにすれば、例えばリールユニット２の右側に液晶表示装置などが設置されていて、右側の回転リール20を横に移動させる余裕がない場合でも、容易に回転リール20の取り外しが行える。さらに、特に図示しないが、左側のリール支持板51のみを固定し、残りの二つのリール支持板52を回動可能に形成してもよい。
（リールユニット２の他の例）
上述したリールユニット２では、リール支持板52を片手で支持したまま、回転リール20を片手で取り外すこともできるが、より着脱作業を容易に行うために、リール支持板52をユニット枠50から引き出した状態で手を離しても所定の位置に停止するよう回動を規制するストッパーを設けてもよい。その一例を図１０に示す。
【００４１】
ユニット枠50は、上面及び背面が一体となって円弧状に湾曲して形成されており、リール支持板51,52は、扇形の板部材である。そして、ユニット枠50の湾曲部分には、正面側から背面側に向かって形成されたガイドスリット53bが設けられている。このガイドスリット53bは、図１０（Ａ）のII−II線断面を表す図１１(Ａ)に示すように、ヒンジ55を中心に回動可能に形成されたリール支持板52の円弧部53cを挟持する幅に形成されており、リール支持板52の回動をガイドし、左右の移動を規制するようになっている。一方、リール支持板52には、係合爪54及びストッパー58が設けられている。ストッパー58は、リール支持板52の円弧部52cの後端部に設けられた突起であり、図１０（Ｂ）のIII−III線断面を表す図１１(Ｂ)に示すように、前記ガイドスリット53b内を摺動可能な幅を有している。
【００４２】
このように形成されたリールユニット２において、リール支持板52を手前側に引き出すと、リール支持板52はヒンジ55を中心に回動し、図１０（Ｂ）に示すように、ストッパー58がガイドスリット53bの正面側端部の係止部53cに当接して回動を停止する。このとき、回転リール20はユニット枠50から全部露出しているので、この位置で停止しても回転リール20の着脱の妨げにはならない。また、この位置でリール支持板52から手を離しても、駆動装置70の重みでリール支持板52の重心が手前側にあるため、リール支持板52が後方に戻ってしまうおそれもない。従って、両手を用いて回転リール20を取り外せるので、より着脱作業が容易に行えるとともに、リール支持板52から駆動装置70を取り外す作業も容易に行える。さらに、リール支持板52が駆動装置70の重みにより勢いよく下方に回動し、筐体内に設置されている装置、例えば電源ユニット４やホッパーユニット５に回転リール20が衝突して破損するといったトラブルを防ぐことができる。
【００４３】
上記した例の他にも、例えば、特に図示しないが、ヒンジ55に回転規制手段を設けたり、図６に二点差線で示したように中板12の正面側小口面にリール支持板52が当接する当接部を設けたり、特に図示しないが、ユニット枠50の底板50Bの正面側小口面にリール支持板52が当接する当接部を設けることにより、リール支持板52の回動を規制するようにすることができる。
（基板ユニット６）
基板ユニット６は、スロットマシンＳの遊技動作等を制御するための主基板と、各種演出を行うための副基板とを、基板ケースに内装したものである。前記主基板、副基板は、スロットマシンの制御を司る制御装置として機能するものである。そして、基板ユニット６は、筐体１の裏板18に、基板取り付け枠60を介して着脱自在に取り付けられている。
【００４４】
ここで、基板取り付け枠60は、裏板18に設けられた軸受け64に回動可能に軸支されているものである。基板取り付け枠60は、図１に示すように、一方に開口するコ字形の枠材であり、相対向する収納溝62に基板ユニット６をスライドさせて収納可能になっている。基板ユニット６は、前記基板取り付け枠60に収納固定することにより、電源ユニット４その他の内部装置と電気的に接続される。また、基板取り付け枠60の反開口側両側端部には、横方向に突出する軸61が形成されており、この軸61を、筐体１の裏板18に固定された軸受け63の軸孔に係合させることにより、基板取り付け枠60が裏板18に取り付けられると共に、軸61を中心に回動可能となる。さらに、基板取り付け枠60は、裏板18又は天板17の下面に設けられた固定装置（図示せず）により、図２又は図５の二点差線で示す位置に固定される。このとき、基板ユニット６の正面が筐体の開口部11から視認可能となる。そして、固定装置を解除することにより手前側に回動可能となり、図５に示すように、収納溝62から基板ユニット６を引き出せるようになっている。
【００４５】
なお、特に図示しないが、基板ユニット６を筐体内に固定した後には、基板取り付け枠60と筐体内部（裏板18、側板16など）との間に封印（例えば封印シール、封印ピン）を施し、関係者以外が基板ユニット６に触れられないように、あるいは不正に動かそうとした痕跡を残すようにしておくのが好ましい。
（上扉30）
上扉30は、筐体１の開口上部13を塞ぐための板状の扉であり、筐体１の側板16の上側に回転自在かつロック可能に形成されている。そして、図１に示すように、略中央部に前記回転リール20の図柄を正面側から見ることができる表示窓31を有し、周囲に飾り部33や種々の表示を行うための表示装置32が設けられているものである。
【００４６】
ここで、前記飾り部33は、ランプ等により形成しても良く、入賞の報知その他の演出時にランプが点滅するようにしてもよい。また、前記表示装置32は、７セグメントＬＥＤ等により数字を表示するものや、特に図示しないが、画像を表示するための液晶画面あるいはＣＲＴなどとしてもよい。
さらに、図２に示すように、上扉30の裏面側端部には、前記筐体係合部19に係合可能な上扉係合部36が上下方向に間隔をおいて二つ設けられており、上扉係合部36の対向側には、ロック機構37が設けられている。ロック機構37は、筐体１の側板16に設けられた突出片（図示せず）に係止可能な鉤状の係止片を有するラッチ機構などにより構成されており、特に図示しないが解錠手段の操作により突出片との係止が外れ開扉することができるとともに、扉を閉めれば自動的にロックされるように形成されている。また、上扉30の裏面上部には、種々の音声を出力するためのスピーカ35が設けられている。
【００４７】
なお、上扉30は、筐体１に着脱自在に取り付けられている。すなわち、筐体係合部19と上扉係合部36の係合は、ネジ止めを外すなどの作業を行うことなく解除可能であり、側板16から上扉30を容易に取り外せるようになっている。いわゆる面替えの際には、遊技内容の変更に伴い、上扉30の形状やデザインも変える必要があるところ、上記のように形成すれば、上扉30のみを単独で、かつ容易に取り外すことができるものである。筐体係合部19と上扉係合部36の形態は、上扉30が筐体１の開口上部13を開閉自在に塞ぐことができ、かつ上扉30が着脱自在となるものであれば、図示したものに限られず、如何なる構成、形状であってもかまわない。
【００４８】
（下扉40）
下扉40は、筐体ユニット１の開口下部14を塞ぐための、上扉30よりも幅厚の扉であり、筐体１の側板16の下側に回転自在かつロック可能に形成されているものである。
下扉40の上部は、図１に示すように、スロットマシンを作動させるための操作部41となっており、下扉40の上面は、閉扉時においては、上扉30よりも前側に突出するようになっている。また、下部には払い出されたメダルを貯めておくためのメダル受け43が形成されており、下扉40の略中央部には、遊技内容その他の表示をするためのパネルユニット48が設けられている。パネルユニット48は、パネル枠にパネルを嵌め込んだものであり、下扉40に着脱自在に取り付けられている。
【００４９】
前記操作部41としては、下扉40の上面右端にはメダル投入口42及び上面左側に設けられたベットスイッチ、正面側にはスタートスイッチ及びストップスイッチ及び鍵穴44が設けられている。なお、ベットスイッチとは、貯留メダルをメダル投入に代えるためのものであり、スタートスイッチ及びストップスイッチは、回転リール23の回転を開始及び停止させるためのものである。また、鍵穴44は、前扉３を解錠するためのものであり、この穴に所定の鍵を差し込んで回すと、下扉40のロックが解除されるものである。
さらに、図２に示すように、下扉40の裏面側には、前記メダル投入口42から投入されたメダルを誘導しながらメダルの正偽を判断するためのメダルセレクター45が設けられている。また、下扉40の裏面側端部には、前記筐体係合部19と係合可能な下扉係合部46が上下方向に間隔をおいて二つ設けられており、下扉係合部64の対向側には、ロック機構47が設けられている。下扉係合部46及びロック機構47の構成は、上扉30のものと基本的には同様である。そして、下扉40を解錠して開けないと上扉30の解錠手段が操作できないようになっている。
【００５０】
なお、下扉40は、遊技内容の変更の度に交換が必要となるわけではないので、上扉30のように筐体１に着脱自在に形成されていなくともよい。下扉40においては、遊技内容の変更に伴うスロットマシンの正面デザインの変更は、パネルユニット48を交換すれば足りるからである。
（交換部品の交換）
以上のように構成されたスロットマシンＳにおいて、いわゆる「面替え」を行う場合の手順を説明する。
まず、下扉40を開錠し、上扉30を開けて上扉と筐体側の電気的接続を外し、上扉30を筐体ユニット１から取り外す。上扉30は、スロットマシンの正面デザインの変更に伴い交換する場合が多く、また交換しない場合であっても、上扉30を取り外しておいた方が作業が楽である。なおこのとき、基板ユニット６は、図２に示すように、基板ケースの正面側が正面に向くように、基板取り付け枠60に取り付けられている。またリールユニット２は、中板12上に固定されている。
【００５１】
次に、回転リール20を取り外し、新しい回転リール20をリール支持板51,52に取り付ける。取り外し及び取り付け方法は、（回転リール20の脱着）で述べたとおりである。
続いて、基板ユニット６を筐体内から取り出す。すなわち、基板取り付け枠60を手前側に引っ張って倒し、図５に示すように基板ユニット６がほぼ水平となる位置まで基板取り付け枠60を回動させる。それから基板ユニット６を手前側に引き出す。このとき、基板ユニット６の電気的接続が切断される。そして基板ユニット６を収納溝62から引き抜けば、基板ユニット６を筐体１から取り出すことができる。
それから、新しい基板ユニット６を基板取り付け枠60に取り付ける。すなわち、基板取り付け枠60の開口部を正面側に向け、基板ユニット６は基板ケースの正面側が下側になるようにして、正面側から収納溝64に嵌め込み押入する。基板ユニット６が最奥まで押入されると、基板ユニット６とスロットマシンＳの他の構成部品とが電気的に接続される。それから、基板取り付け枠60を上方向に回動させ、固定装置で裏板18に固定し、所定の封印を施す。このように基板取り付け枠60を正面側に回動させて基板ユニット６を収納するように形成すると、取り付け作業を筐体１の開口上部13の手前側で行うことができ、筐体の奥に手を入れての作業よりも効率よく取り付け作業を行うことができる。また、基板ユニット６を筐体奥側に固定させることにより、不正行為をされ難くすることができ、基板ユニット６の正面側が正面に向くように取り付けられるので、点検の際にも好適である。
【００５２】
最後に、下扉40のパネルユニット48を交換し、上扉30を取り付けて下扉40を閉め、施錠する。
以上のように、上扉30、回転リール20、基板ユニット６を別々に着脱可能としたことにより、交換に係る部品点数は従来よりも増えたものの、一つ一つの交換部品が軽量化するため、交換作業にかかる労力はかなり軽減されることになる。従って、例えば女性など体力の劣る作業員であっても楽に交換作業ができ、普通の作業員であっても重い物を不自然な体勢で持ち上げなくともよいので、腰痛などを起こす心配もない。
さらに、回転リール20を個別に着脱可能としたことにより、面替えのときばかりでなく、通常時の回転リール20の点検整備も容易に行うことができ、専門の技術者を呼んでリールユニット２を取り外して分解したりする手間を省くことができる。
【００５３】
（第二の実施の形態）
（図面の説明）
図１５及び図１６は、本発明の第二の実施の形態を示すものである。図１５はリールユニット２及び筐体１の斜視図、図１６はリールユニット２の正面図である。
第二の実施の形態におけるスロットマシンＳは、前述した第一の実施の形態に加えて、リールユニット２を筐体１から着脱自在に形成したものである。すなわち、回転リール20のみを交換可能であるとともに、リールユニット２も交換可能としたものである。具体的には、筐体１にリールユニット２を着脱自在に取り付けるための固定装置90が設けてある。
【００５４】
なお、第一の実施の形態と重複する部分は説明を省略し、本実施の形態の特徴点のみ説明する。
（筐体１）
第二の実施の形態による筐体１には、図１５に示すように、中板12の正面側から奥方向に向かって、一対のガイドレール10が敷設されていると共に、このガイドレール10の外側に固定装置90としてのフック92が二つ立設されている。ガイドレール10は、リールユニット２を開口上部13内に収納する際、及びリールユニット２を取り出す際に、前後方向の移動をガイドするものである。フック92は、鉤部を外側に相対向して設けられた鉤状の板部材であり、後述するリールユニット２に設けられたクリップ91と係合させることにより、リールユニット２を中板12上に固定するものである。
【００５５】
（リールユニット２）
第二の実施の形態によるリールユニット２のユニット枠50は、図１５に示すように、の両側面をリール支持板51で塞いだ正面側に開口する箱体であり、図１６に示すように、二枚のリール支持板51の内側には駆動装置70が相対向するように固定されている。また、二枚のリール支持板51の中間よりも右側よりには、上板50Aから垂下する円弧状のガイド部53が形成されており、ガイド部53に対応する底板50Bには、軸支部としてのヒンジ55が取り付けられている。そして、前記ヒンジ55には、上端が前記ガイド部53の円弧と一致する形状でかつガイド部53と係合可能であるリール支持板52が取り付けられている。リール支持板52は、ヒンジ55の部分でユニット枠50から着脱自在であってもよいし、ヒンジ55を介してユニット枠50に固定されていてもよい。前記リール支持板52は、ヒンジ55を支点として、前後方向に回動させることができるものである。さらにこのリール支持板52の右側面には、図１６に示すように、駆動装置70が固定されている。
【００５６】
そして、ユニット枠50の両側面下方、すなわち二枚のリール支持板51の外側下方には、固定装置90としてのクリップ91が取り付けられている。クリップ91は、リール支持板51に固定される本体に、上下に回動自在かつ伸縮可能に形成された可動部を有し、可動部先端に設けられた引っ掛け部をフック92に引っ掛けて上方に回動させることにより、引っ掛け部がフック92に係止され、ユニット枠50を中板12に固定するようになっている。
さらに、ユニット枠50の底板50Bの底面両端部には、中板12に敷設されたガイドレール10と係合可能な収納ガイド部59が、前後方向にわたって設けられている。
このリールユニット２から回転リール20を取り外す場合には、図１６に示すように、リール支持板52を前方に回動させてユニット枠50の中央に空間部を作り、左側及び中央の回転リール20は右方向に、右側の回転リール20は左側に、それぞれ移動させて手前側に抜き取る。回転リール20を取り付ける場合には、リール支持板52を前方に引き出した状態で、左側及び右側の回転リールを取り付け、さらに中央の回転リール20も取り付けた後に、リール支持板52を上側に回動させて元の位置に戻せばよい。
【００５７】
また、リールユニット２を筐体１内部から取り出す場合には、クリップ91とフック92との係合を外し、ユニット枠50を手前側に引き出して取り出す。リールユニット２を筐体１に取り付ける場合には、ユニット枠50の収納ガイド部59の後端部とガイドレール10の先端部を係合させてから、ユニット枠50を奥方向に押し込めば、リールユニット２は固定位置に誘導される。それから固定装置90にて固定すればよい。
なお、固定装置90としては、上記した形態に限られず、リールユニット２を筐体内部に着脱自在に固定することができるものであれば、如何なる形態であってもかまわない。また、ガイドレール10及び収納ガイド部59も、図示した形状に限られず、リールユニット２の前後方向の移動をガイド可能なものであれば、如何なる形態であっても構わない。
【００５８】
第二の実施の形態によれば、交換作業にかかる労力が軽減され、回転リール20の点検整備が容易にできると言う利点を有するほかに、駆動装置70を交換する必要がある場合には、リールユニット２全体を取り替えることもでき、多様な交換作業を行うことができる。
ところで、上記した第二の実施の形態では、リールユニット２と基板ユニット６とは別々に交換することになっているが、リールユニット２と基板ユニット６を同時に交換可能に形成してもよい。例えば、図１７に示すように、リールユニット２及び基板ユニット６を着脱自在に取り付け可能な支持体100を、筐体１の開口上部13内に着脱自在に取り付けるようにしたものである。この場合、支持体100に上扉30を取り付けるようにすれば、上扉30及びリールユニット２及び基板ユニット６を同時に交換できる。また、上扉30及びリールユニット２及び基板ユニット６を別々に交換することもでき、さらには、上扉30及び回転リール20及び基板ユニット６を別々に交換することもできる。
【００５９】
なお、本発明は、前扉３が上下に分割されていないスロットマシンに用いることができ、スロットマシン以外の遊技機に用いることもできる。
【図面の簡単な説明】
【００６０】
【図１】本発明の第一の実施の形態であって、スロットマシンの分解斜視図である。
【図２】本発明の第一の実施の形態であって、スロットマシンの本体から前扉３を外した分解斜視図である。
【図３】本発明の第一の実施の形態であって、リールユニット２の分解斜視図である。
【図４】本発明の第一の実施の形態であって、リールユニット２の斜視図である。
【図５】本発明の第一の実施の形態であって、スロットマシン上部の側断面図である。
【図６】本発明の第一の実施の形態であって、リール支持板52の動きを示すリールユニット２の断面図である。
【図７】本発明の第一の実施の形態であって、図５のI−I線断面図である。
【図８】本発明の第一の実施の形態であって、ユニット枠50の分解斜視図である。
【図９】本発明の第一の実施の形態であって、ユニット枠50の他の例を示す分解斜視図である。
【図１０】本発明の第一の実施の形態であって、リールユニット２の他の例を示す断面図である。
【図１１】本発明の第一の実施の形態であって、図１０のII−II線断面図及びIII−III線断面図である。
【図１２】本発明の第一の実施の形態であって、回転リール20の取り外しを示すリールユニット２の正面図である。
【図１３】本発明の第一の実施の形態であって、リール係止手段７を示す斜視図である。
【図１４】本発明の第一の実施の形態であって、リール係止手段７の他の例を示す斜視図である。
【図１５】本発明の第二の実施の形態であって、筐体１の一部及びリールユニット２を示す斜視図である。
【図１６】本発明の第二の実施の形態であって、回転リール20の取り外しを示すリールユニット２の正面図である。
【図１７】本発明の他の実施の形態であって、スロットマシンの他の例を示す分解斜視図である。
【図１８】本発明の第一の実施の形態であって、リール係止手段７の他の例を示す斜視図である。
【符号の説明】
【００６１】
Ｓ  スロットマシン
１  筐体ユニット                    ２  リールユニット
３  前扉                            ４  電源ユニット
５  ホッパーユニット                ６  基板ユニット
７  リール係止手段
10  ガイドレール                    11  開口部
12  中板                            13  開口上部
14  開口下部                        15  底板
16  側板                            17  天板
18  裏板                            19  筐体係合部
20  回転リール                      21  リールテープ
22  ドラム                          23  軸着部
24  脱着用レバー                    25  軸孔
26  十字溝                          27  段部
28  スポーク                        29  ピン孔
30  上扉                            31  表示窓
32  表示装置                        33  飾り部
35  スピーカ                        36  上扉係合部
37  ロック機構
40  下扉                            41  操作部
42  メダル投入口                    43  メダル皿
44  鍵穴                            45  メダルセレクター
46  下扉係合部                      47  ロック機構
48  パネルユニット
50  ユニット枠                      51  リール支持板
52  リール支持板                    53  ガイド部
54  係合爪                          55  ヒンジ
56  係合突起                        57  係合部
58  ストッパー                      59  収納ガイド部
60  基板取り付け枠                  61  軸
62  収納溝                          63  軸受け
70  駆動装置                        71  駆動軸
72  張り出しピン                    73  フランジ
74  溝                              75  係止ピン
76  ピン孔
80  ハーネスカバー
90  固定装置                        91  クリップ
92  フック
100  交換ユニット                   110  支持体
【図１】
2005130873.tif 000003
【図２】
2005130873.tif 000004
【図３】
2005130873.tif 000005
【図４】
2005130873.tif 000006
【図５】
2005130873.tif 000007
【図６】
2005130873.tif 000008
【図７】
2005130873.tif 000009
【図８】
2005130873.tif 000010
【図９】
2005130873.tif 000011
【図１０】
2005130873.tif 000012
【図１１】
2005130873.tif 000013
【図１２】
2005130873.tif 000014
【図１３】
2005130873.tif 000015
【図１４】
2005130873.tif 000016
【図１５】
2005130873.tif 000017
【図１６】
2005130873.tif 000018
【図１７】
2005130873.tif 000019
【図１８】
2005130873.tif 000020